【事件の表示】
　平成１０年特許願第２８２１２７号「パチンコ遊技機」拒絶査定不服審判事件〔平成１２年　４月１８日出願公開、特開２０００−１０７４１４〕について、次のとおり審決する。
【結　論】
　本件審判の請求は、成り立たない。
【理　由】
１．手続の経緯　
　本願は、平成１０年１０月５日に出願されたものであって、平成１５年８月１８日付けの拒絶理由通知に対し平成１５年１０月７日付けで手続補正がなされ、平成１５年１１月２７日付けで拒絶査定がなされ、これに対し、平成１５年１２月２５日に拒絶査定に対する審判請求がなされ、平成１６年１月６日付で手続補正がなされたものである。　
　
２．平成１６年１月６日付けの手続補正について　
　本件補正により、特許請求の範囲の請求項１についてした補正は、平成１８年改正前特許法第１７条の２第４項第４号に規定する明りょうでない記載の釈明を目的とするものであると認められるから、当該補正を認める。　
　
３．本願発明　
　本願の請求項１及び２に係る発明は、平成１６年１月６日付けの手続補正によって補正された明細書の特許請求の範囲における請求項１及び２に記載された事項により特定される「パチンコ遊技機」にあると認められるところ、その請求項１に係る発明（以下、「本願発明」という。）は、以下のとおりのものである。　
「主制御部により遊技機の作動が設定制御されるパチンコ遊技機において、遊技機枠若しくは遊技盤面に備えられる飾りランプが所定の遊技状況の発生に伴って点灯点滅するランプ点灯点滅手段と、更に所定遊技状況の発生に応じて音声を発する音声報知手段とを備え、前記主制御部とは別に前記ランプ点灯点滅手段と音声報知手段とを制御する第二制御部を有し、該第二制御部には、主制御部から送信される音声に関するデータを受ける音声入力バッファと、主制御部から送信される飾りランプの点灯点滅に関するデータを受ける飾りランプ入力バッファとが個別に設けられると共に、これらのバッファにより共有される一つのＰＩＯ及び一つの中央制御装置を備え、該単一の中央制御装置により前記ランプ点灯点滅手段と音声報知手段とが設定制御されるように構成したことを特徴とするパチンコ遊技機。」　
　
４．先願明細書に記載された発明　
i.　原査定の拒絶理由に引用された、本願の出願日前の他の出願であって、その出願後に出願公開された特願平１０−１２２８７８号（特開平１１−３０００１１号公報参照。以下、「先願」という。）の願書に最初に添付した明細書及び図面（以下、「先願明細書」という。）には、図面とともに以下の事項が記載されている。　
　
【請求項１】  特定入賞部への遊技媒体の進入により特別遊技を行い、特別遊技の結果が所定の態様になったことにもとづいて遊技者に所定の遊技価値が付与可能となる遊技機であって、　
遊技の進行を制御する遊技制御手段が搭載された主基板と、遊技盤および遊技機の枠体に設けられた装飾発光体の点灯制御を行う回路を搭載した基板であって前記主基板とは別個に設けられた装飾制御基板とを備え、　
前記装飾制御基板には、各機種の遊技機の構成に依存しない装飾発光体の点灯制御を行う回路が搭載されることを特徴とする遊技機。　
　
【請求項４】  装飾制御基板には、効果音を発生する音発生回路が搭載されている請求項１、請求項２または請求項３記載の遊技機。　
　
【００１０】【発明の実施の形態】以下、本発明の一実施形態を図面を参照して説明する。まず、遊技機の一例であるパチンコ遊技機の全体の構成について説明する。……　
　
【００１８】……さらに、機構板３６には、……遊技盤に設けられている装飾ランプ２５および入賞口・風車ランプ２５Ａ、ならびに枠部に設けられている枠ランプ２８、賞球ランプ５１および玉切れランプ５２を点灯および滅灯するための装飾制御基板３５が設置されている。　
　
【００２１】図４は、主基板（メイン基板）３１における回路構成の一例を示すブロック図である。……メイン基板３１には、プログラムに従ってパチンコ遊技機１を制御する基本回路５３が設けられている。基本回路５３は、……制御用のプログラムに従って制御動作を行うＣＰＵ５６およびＩ／Ｏポート部５７を含む。……　
　
【００２３】……また、ＣＰＵ５６は、遊技の進行に応じて、Ｉ／Ｏポート５７を介して、装飾ランプ２５および入賞口・風車ランプ２５Ａならびに枠ランプ２８、賞球ランプ５１および玉切れランプ５２を点灯または滅灯させるためのランプ制御コマンドを装飾制御基板３５に送信する。　
　
【００２４】さらに、メイン基板３１には、……スピーカ２７からの音発生を制御する音声合成回路７１および音量増幅回路７２が設けられている。　
　
【００４５】実施の形態２．図９は、本発明の第２の実施の形態の装飾・音制御基板３５Ｂの回路構成を示すブロック図である。この実施の形態では、スピーカ２７による音発生を制御する音声合成回路７１および音量増幅回路７２も装飾・音制御基板３５Ｂに搭載される。従って、この基板を、装飾制御基板ではなく装飾・音制御基板３５Ｂと呼ぶが、装飾・音制御基板３５Ｂは、図４における装飾制御基板３５に代えて備えられるものである。　
　
【００４６】この実施の形態では、メイン基板３１の基本回路５３から、ランプ制御コマンドに加えて、音制御コマンドも送信される。ランプ制御コマンドおよび音制御コマンドは、Ｉ／Ｏポート３５２を介してＣＰＵ３５１に入力する。ＣＰＵ３５１は、ランプ制御コマンドを受信すると、第１の実施例の場合と同様に、装飾ランプ２５および入賞口・風車ランプ２５Ａならびに枠ランプ２８の点灯／滅灯処理を行う。　
　
【００４７】また、ＣＰＵ３５１は、音制御コマンドを受信すると、それを解析して指示された音がスピーカ２７から出力されるように音声合成回路７１を制御する。……　
　
【００４８】図１０は、音制御コマンドの一構成例を示す説明図である。この例では、メイン基板３１の基本回路５３は、遊技制御における各状態に対応した音制御コマンドを送出する。……　
　
ii. 前記摘示の記載及び図面によれば、先願明細書には、以下の発明（以下、「先願発明」という。）が記載されているものと認められる。　
　
　メイン基板３１により遊技の進行が制御されるパチンコ遊技機１において、　
　遊技の進行に応じたランプ制御コマンドによって、遊技盤および遊技機の枠体に設けられた装飾発光体の点灯制御を行う回路と、更に、遊技制御における各状態に対応した音制御コマンドによって、効果音を発生する音声合成回路７１および音量増幅回路７２を備え、　
　前記メイン基板３１とは別個に、装飾発光体の点灯制御を行う回路と音声合成回路７１および音量増幅回路７２とを搭載した装飾・音制御基板３５Ｂを設け、　
　該装飾・音制御基板３５Ｂには、ランプ制御と音制御において共有されるＩ／Ｏポート３５２及びＣＰＵ３５１を備え、　
　該ＣＰＵ３５１により装飾発光体の点灯制御を行う回路と音声合成回路７１および音量増幅回路７２とが設定制御される　
　パチンコ遊技機１。　
　
５．対比判断　
（１）対比　
　本願発明と先願発明とを対比すると、先願発明の「メイン基板３１」は本願発明の「主制御部」に相当し、以下同様に、「遊技盤および遊技機の枠体に設けられた装飾発光体」は「遊技機枠若しくは遊技盤面に備えられる飾りランプ」に、「装飾発光体の点灯制御を行う回路」は「ランプ点灯点滅手段」に、「効果音を発生する音声合成回路７１および音量増幅回路７２」は「音声を発する音声報知手段」に、「装飾・音制御基板３５Ｂ」は「第二制御部」に、「ＣＰＵ３５１」は「一つの中央制御装置」に、それぞれ相当する。　
　
　また、先願発明は、メイン基板３１により遊技の進行が制御されるパチンコ遊技機１であり、遊技の進行を制御するためには、遊技機の作動が設定制御されることは自明である。したがって、先願発明は、主制御部により遊技機の作動が設定制御されるものであると認められる。　
　
　そして、先願発明は、遊技の進行に応じたランプ制御コマンドによって、遊技盤および遊技機の枠体に設けられた装飾発光体の点灯制御を行うから、飾りランプが所定の遊技状況の発生に伴って点灯点滅するものであると認められる。　
　
　さらに、先願発明は、遊技制御における各状態に対応した音制御コマンドによって、効果音を発生するものであるから、所定遊技状況の発生に応じて音声を発するものであると認められる。　
　
　加えて、先願発明は、装飾・音制御基板３５Ｂに、ランプ制御と音制御において共有されるＩ／Ｏポート３５２及びＣＰＵ３５１を備え、該ＣＰＵ３５１により装飾発光体の点灯制御を行う回路と音声合成回路７１および音量増幅回路７２とが設定制御されるものであり、また、先願発明のＩ／Ｏポート３５２は、本願発明のＰＩＯと同様に、第二制御部の中央制御装置にデータを入出力するためのＩＯであると認められる。したがって、本願発明と先願発明とは、第二制御部に、音声報知制御とランプ点灯点滅制御において共有される一つのＩＯおよび一つの中央制御装置を備える点で共通するものと認められる。　
　
　そうすると、本願発明と先願発明の両者は、　
　「主制御部により遊技機の作動が設定制御されるパチンコ遊技機において、遊技機枠若しくは遊技盤面に備えられる飾りランプが所定の遊技状況の発生に伴って点灯点滅するランプ点灯点滅手段と、更に所定遊技状況の発生に応じて音声を発する音声報知手段とを備え、前記主制御部とは別に前記ランプ点灯点滅手段と音声報知手段とを制御する第二制御部を有し、該第二制御部には、音声報知制御とランプ点灯点滅制御において共有される一つのＩＯ及び一つの中央制御装置を備え、該単一の中央制御装置により前記ランプ点灯点滅手段と音声報知手段とが設定制御されるように構成したことを特徴とするパチンコ遊技機。」　
である点で一致し、以下の点で一応相違する。　
　
　相違点　
　本願発明では、第二制御部には、主制御部から送信される音声に関するデータを受ける音声入力バッファと、主制御部から送信される飾りランプの点灯点滅に関するデータを受ける飾りランプ入力バッファとが個別に設けられ、また、音声報知制御とランプ点灯点滅制御において共有される一つのＩＯがＰＩＯであるのに対し、先願発明では、そのように構成されているか否かが明らかでない点。　
　
（２）相違点の検討　
　中央制御装置にデータを入出力するための構成として、バッファとＰＩＯを備えるようにすることは、慣用技術である（例えば、特開平７−１９１０４号公報、特開平５−８９０２３号公報参照）。また、先願発明のようにランプ制御コマンド、音制御コマンドという二つのコマンドを通信する場合に、コマンド毎に個別に送受信部を設けることは、当業者が適宜なし得る設計上の事項である。したがって、上記相違点は、課題解決のための具体化手段における微差に過ぎない。　
　
６．むすび　
　以上のとおり、本願発明は、先願発明と実質的に同一であり、しかも、本願の発明者が先願の発明者と同一であるとも、また、本願の出願の時において、その出願人が先願の出願人と同一であるとも認められないので、特許法第２９条の２の規定により特許を受けることができない。　
　
　したがって、本願の請求項２に係る発明について検討するまでもなく、本願は拒絶されるべきものである。　
　
　よって、結論のとおり審決する。